(57)【要約】【課題】動物を模した玩具であって口部を所定の力で閉じることにより、「甘噛み」を模擬することを特徴とする装飾体玩具を提供する。【解決手段】動物を模して形成された装飾体本体において、前記装飾体本体には、上唇部と作動可能な下唇部から構成される口部と、前記下唇部を作動させて前記口部を開閉させる口部駆動部と、前記下唇部を閉じる方向に所定の力で加圧する弾性体とを備えた。【選択図】図１
2009011504.tif 000002
【特許請求の範囲】
【請求項１】
動物を模して形成された装飾体本体において、
前記装飾体本体には、
上唇部と作動可能な下唇部から構成される口部と、
前記下唇部を作動させて前記口部を開閉させる口部駆動部と、
前記下唇部を閉じる方向に所定の力で加圧する弾性体とを備えたことを特徴とする装飾体玩具。
【請求項２】
請求項１において、前記弾性体は、前記口部駆動部の作動によって、口部の下唇部を開く方向に作動させる力よりも小さい所定の復元力とされていることを特徴とする装飾体玩具。
【請求項３】
請求項１又は２において、前記口部駆動部は、モータと減速歯車群で構成され、前記モータの回転の制御を行う口部作動制御部を備え、前記口部作動制御部は、前記モータの正回転を間欠的に繰り返す駆動信号を出力することを特徴とする装飾体玩具。
【請求項４】
請求項１乃至３のいずれか１項において、前記装飾体本体には、作動スイッチ部と、スイッチ制御部とを備え、
前記スイッチ制御部は、前記作動スイッチ部からの操作信号が入力されると、前記口部作動制御部から前記口部駆動部へ駆動信号を出力させることを特徴とする装飾体玩具。
【請求項５】
請求項４において、前記作動スイッチ部は、圧電素子となるピエゾスイッチ又は音を検出するコンデンサマイクであることを特徴とする装飾体玩具。
【請求項６】
請求項１乃至５のいずれか１項において、前記装飾体本体には、予め音声情報を記憶した音声記憶部と、音声を出力する音声出力部とを備え、
前記音声記憶部から所定の音声情報を読み出し、前記音声出力部に音声信号を出力する音声出力制御部をも備えたことを特徴とする装飾体玩具。
【請求項７】
請求項６において、前記音声出力制御部は、前記口部が口部駆動部により作動される時、前記音声記憶部から所定の音声情報を読み出し、前記音声出力部に音声信号を出力することを特徴とする装飾体玩具。
【請求項８】
請求項１乃至７において、音を検出する音検出部と、作動制御部とを備え、
前記作動制御部は、前記音検出部が音を検出した時に、前記口部作動制御部から前記口部駆動部へ駆動信号を出力させることを特徴とする装飾体玩具。
【発明の詳細な説明】
【技術分野】
【０００１】
本発明は、動物を模して形成され、口部を作動させる装飾体玩具に関するものである。
【背景技術】
【０００２】
従来においては、内部にスイッチやセンサーなどを設け、撫でたり握ったりすることにより、手や足を動かすと共に音声で返事をするキャラクターの装飾体玩具が多くあった。また、本願出願人が出願した特許文献として、動物を模して形成され口部を作動させるぬいぐるみ玩具が提案されている（特許文献１）。
【特許文献１】登録実用新案第３０３５０６８号公報
【発明の開示】
【発明が解決しようとする課題】
【０００３】
また、実際の動物（犬などを含む肉食動物）の子供の頃に見受けられる「甘噛み」と呼ばれる生きた獲物を捕らえて食料とするために、動くものに飛びついたり、噛みついたりする行為が見受けられるが、従来の動物を模した玩具には、このように、使用者の手などを「甘噛み」することを特徴とする装飾体玩具は提案されていない。
【０００４】
そこで、本発明は、動物を模した玩具であって口部を所定の力で閉じることにより、「甘噛み」を模擬することを特徴とする装飾体玩具を提供することを課題とする。
【課題を解決するための手段】
【０００５】
請求項１記載の発明は、動物を模して形成された装飾体本体において、前記装飾体本体には、上唇部と作動可能な下唇部から構成される口部と、前記下唇部を作動させて前記口部を開閉させる口部駆動部と、前記下唇部を閉じる方向に所定の力で加圧する弾性体とを備えたことを特徴とする。
【０００６】
請求項２記載の発明は、請求項１において、前記弾性体は、前記口部駆動部の作動によって、口部の下唇部を開く方向に作動させる力よりも小さい所定の復元力とされていることを特徴とする。
【０００７】
請求項３記載の発明は、請求項１又は２において、前記口部駆動部は、モータと減速歯車群で構成され、前記モータの回転の制御を行う口部作動制御部を備え、前記口部作動制御部は、前記モータの正回転を間欠的に繰り返す駆動信号を出力することを特徴とする。
【０００８】
請求項４記載の発明は、請求項１乃至３のいずれか１項において、前記装飾体本体には、作動スイッチ部と、スイッチ制御部とを備え、前記スイッチ制御部は、前記作動スイッチ部からの操作信号が入力されると、前記口部作動制御部から前記口部駆動部へ駆動信号を出力させることを特徴とする。
【０００９】
請求項５記載の発明は、請求項４において、前記作動スイッチ部は、圧電素子となるピエゾスイッチ又は音を検出するコンデンサマイクであることを特徴とする。
【００１０】
請求項６記載の発明は、請求項１乃至５のいずれか１項において、前記装飾体本体には、予め音声情報を記憶した音声記憶部と、音声を出力する音声出力部と、前記音声記憶部から所定の音声情報を読み出し、前記音声出力部に音声信号を出力する音声出力制御部とを備えたことを特徴とする。
【００１１】
請求項７記載の発明は、請求項６において、前記音声出力制御部は、前記口部が口部駆動部により作動される時、前記音声記憶部から所定の音声情報を読み出し、前記音声出力部に音声信号を出力することを特徴とする。
【００１２】
請求項８記載の発明は、請求項１乃至７のいずれか１項において、音を検出する音検出部と、作動制御部とを備え、前記作動制御部は、前記音検出部が音を検出した時に、前記口部作動制御部から前記口部駆動部へ駆動信号を出力させることを特徴とする。
【発明の効果】
【００１３】
本発明によれば、動物を模して形成された装飾体玩具は、上唇部と作動可能な下唇部から構成される口部を備えており、該装飾体玩具の口部となる下唇部が、弾性体により、閉じる方向に所定の力で加圧されており、使用者が装飾体玩具の口部に指や手を挿し入れると、装飾体玩具が、使用者の指、手を緩く噛むことができ、「甘噛み」を模擬した動作を行わせることができるものである。
【００１４】
また、作動スイッチ部や、音を検出する音検出部を備えており、作動スイッチ部が作動したり、音検出部が音を検出すると、該口部を開いたり、閉じたりするように作動するものである。これら、作動スイッチ部及び音検出部は、該装飾体玩具となるライオンの縫いぐるみを撫でることや、遊戯者からの声によって作動するようにできるものである。
【００１５】
そして、音声出力部となるスピーカが内設され、該口部が開いたり閉じたりするように作動する時に、該音声出力部から、動物の鳴き声を音声出力することができるものである。
【発明を実施するための最良の形態】
【００１６】
動物を模して形成された装飾体本体において、前記装飾体本体には、上唇部と作動可能な下唇部から構成される口部と、前記下唇部を作動させて前記口部を開閉させる口部駆動部と、前記下唇部を閉じる方向に所定の力で加圧する弾性体とを備え、前記弾性体は、前記口部駆動部の作動によって、口部の下唇部を開く方向に作動させる力よりも小さい所定の復元力とされているものである。
【００１７】
また、前記口部駆動部は、モータと減速歯車群で構成され、前記モータの回転の制御を行う口部作動制御部を備え、前記口部作動制御部は、前記モータの正回転を間欠的に繰り返す駆動信号を出力することもある。
【００１８】
そして、前記装飾体本体には、スイッチ制御部と、圧電素子となるピエゾスイッチ又は音を検出するコンデンサマイクを作動スイッチ部として備え、前記スイッチ制御部は、前記作動スイッチ部からの操作信号が入力されると、前記口部作動制御部から前記口部駆動部へ駆動信号を出力させることもある。
【００１９】
さらに、装飾体本体には、予め音声情報を記憶した音声記憶部と、音声を出力する音声出力部と、前記音声記憶部から所定の音声情報を読み出して前記音声出力部に音声信号を出力する音声出力制御部とを備え、前記音声出力制御部は、前記口部が口部駆動部により作動される時に、前記音声記憶部から所定の音声情報を読み出し、前記音声出力部に音声信号を出力することもある。
【００２０】
また、装飾体本体には、音を検出する音検出部と、作動制御部とを備え、前記作動制御部は、前記音検出部が音を検出した時に、前記口部作動制御部から前記口部駆動部へ駆動信号を出力させることもある。
【実施例１】
【００２１】
以下、図を参照して、本発明を適用した実施の形態について説明する。図１に示すように装飾体玩具１０は、ライオンを模した縫いぐるみである。
【００２２】
この発明の概要として、ライオンを模した縫いぐるみとなる装飾体玩具１０は、上唇部と作動可能な下唇部から構成される口部１２を備えており、該装飾体玩具１０の口部１２となる下唇部が、閉じる方向に所定の力で加圧されており、遊戯者が装飾体玩具１０の口部に指や手を挿し入れると、装飾体玩具１０が、遊戯者の指や手を緩く噛むことを特徴としているものである。
【００２３】
また、この装飾体玩具１０には、作動スイッチ部（図示しない）や、音を検出する音検出部（図示しない）を備えており、作動スイッチ部が作動したり、音検出部が音を検出すると、口部１２を開いたり閉じたりするように作動するものである。これら作動スイッチ部及び音検出部は、装飾体玩具１０となる縫いぐるみのライオンの頭部の前方（鼻付近）にあたる位置の内側に内設されており、装飾体玩具１０となるライオンの縫いぐるみを撫でることや、遊戯者からの声によって作動するようにしたものである。
【００２４】
そして、この装飾体玩具１０には、音声出力部となるスピーカ（図示しない）が内設され、口部１２が開いたり閉じたりするように作動する時に、スピーカから、ライオンの鳴き声を音声出力することもある。
【００２５】
さらに、この装飾体玩具１０には、作動スイッチ部、音検出部及び音出力部以外にも、音声記憶部、作動制御部、スイッチ制御部、口部作動制御部及び音声出力制御部からなる主基板と、モータと減速歯車群で構成される口部駆動部が内設され、また口部駆動部や主基板に対して電力を供給する電源が内設され、該電源をＯＮ／ＯＦＦする為の電源スイッチも有しているものである。
【００２６】
図２を用いて、ライオンを模した縫いぐるみとなる装飾体玩具１０の口部１２を作動させる機構について説明する。上唇部１４と作動可能な下唇部１８から構成される口部１２を作動させる機構は、口部駆動部と弾性体２８で構成されている。口部駆動部は、減速歯車群となる第一平歯車４０、第二平歯車４２、第三平歯車４４、第四平歯車４６及び、回転力を発生し減速歯車群へ回転を伝達するモータ３６である。また、弾性体２８は、口部１２の下唇部１８を閉じる方向に加圧するねじりバネとなっている。
【００２７】
まず、口部１２の構造説明を行う。口部１２は、上唇部１４と下唇部１８で構成されている。口部１２の上唇部１４は、薄肉で略半円板状に形成されており、半円の直線となる辺の中央から、後述する箱体３０に形成された係合部３４と係合される係合凸部１６が膨出しているものである。この上唇部１４は、該係合凸部１６と後述する箱体３０の係合部３４に係合することによって、固着されているものである。
【００２８】
また、下唇部１８も同様に、薄肉で略半円板状に形成されており、半円の直線となる辺の中央近傍から膨出される２つのアーム２０が形成され、この２つのアーム２０の先端の対向する位置に、後述する口部駆動部の第四平歯車４６が軸着した四角柱軸４８と係合する四角柱状の凹部となる係合凹部２２が形成されているものである。この下唇部１８は、口部駆動部の第四平歯車４６の回転に伴って、下唇部１８は、該四角柱軸４８を中心に、口部１２を開いたり閉じたりするように揺動動作を行うようになるものである。
【００２９】
そして、下唇部１８の一方のアーム２０には、アーム２０の略中央位置に、二つの凸部がアーム２０の外方に向けて膨出され、弾性体２８の端部と係止する弾性体係止部２４が形成されている。この弾性体係止部２４にねじりバネとなる弾性体２８の端部が係止されることにより、該下唇部１８は、常に口部１２を閉じる方向に加圧されているものである。
【００３０】
また、この口部１２の上唇部１４と下唇部１８の対向する面に、それぞれライオンの歯牙を模した歯牙装飾部２６が形成されているものである。
【００３１】
次に、口部駆動部となる第一平歯車４０、第二平歯車４２、第三平歯車４４及び第四平歯車４６からなる減速歯車群を内部に収容するＬ字形の箱体３０が形成されている。Ｌ字形状に形成された箱体３０の上部には、モータ３６を配置する為の穴（図示しない）が形成され、該穴にモータ３６の回転軸を内側とするように突設されているものである。
【００３２】
また、Ｌ字形の箱体３０の前方上部に、上唇部１４の係合凸部１６と係合する係合部３４が形成され、上唇部１４を固着しているものである。
【００３３】
モータ３６は、その回転軸の先端に、減速歯車群に回転を伝達するピニオンギア３８が軸着されている。
【００３４】
減速歯車群を構成する第一平歯車４０、第二平歯車４２及び第三平歯車４４は、大小２つの平歯車を同軸とした歯車に形成され、減速歯車群を構成する第四平歯車４６は、一つの平歯車で形成されているものである。また、第一平歯車４０、第二平歯車４２、第三平歯車４４は、その中央に円柱状の軸を有し、該箱体３０に軸支されている。そして、第四平歯車４６は、その中央に四角柱状の四角柱軸４８を有しており、該四角柱軸４８は、該箱体３０の両端から突出して軸架されている。この該四角柱軸４８の両端は、下唇部１８の２つのアーム２０の先端に形成された係合凹部２２を係合するものである。このように第四平歯車４６の軸を四角柱にすることによって、該四角柱軸４８と係合凹部２２との間での回転による滑りを無くすものである。
【００３５】
減速歯車群の第一平歯車４０の大歯車は、モータ３６に軸着されたピニオンギア３８と歯合し、小歯車は、第二平歯車４２の大歯車と歯合している。また、第二平歯車４２の小歯車は、第三平歯車４４の大歯車と歯合し、第三平歯車４４の小歯車は、第四平歯車４６の平歯車と歯合している。これにより、モータ３６から発生した回転速度及び回転力は、減速歯車群により、その回転速度を減速させると共に、回転力を増すようになるものである。
【００３６】
また、モータ３６から発生した回転力は、減速歯車群を介することによって、後述する弾性体２８の復元力よりも大きくなっているものである。実施例の回転力は、４００ｇよりも大きい回転力を発生させるものである。
【００３７】
弾性体２８となるねじりバネのコイル部は、箱体３０の外側で第四平歯車４６の四角柱軸４８の周囲に位置し、ねじりバネの一方の端部は箱体３０に形成された孔３２と係止され、他方の端部は、下唇部１８のアーム２０に形成された弾性体係止部２４と係止し、下唇部１８を上唇部１４の方向に向けて加圧するものである。また、箱体３０には、ねじりバネの復元力の強さを調整する為の孔３２が複数形成されており、係止する孔３２を変更することにより、ねじりバネの復元力の強さを変化させることができるものである。
【００３８】
また、実施例のねじりバネの復元力は、口部駆動部の作動によって口部１２の下唇部１８を開く方向に作動させる回転力よりも小さい約４００ｇ以下の復元力とされている。そして、ねじりバネの復元力は４００ｇには限定されず、装飾体玩具１０を扱う遊戯者の年齢を考慮したり、装飾体玩具１０をライオン以外の動物に模して形成したりする時には、ねじりバネの復元力を調整し変えるようにすることもできる。
【００３９】
図３を用いて、口部１２が作動した状態の説明を行う。図３（ａ）は、口部１２を閉じた状態を示す図であり、図３（ｂ）は、口部１２を開いた状態を示す図である。
【００４０】
図３（ａ）の口部１２を閉じた状態では、口部駆動部は作動しておらず、ねじりバネの復元力によって、口部１２を閉じた状態が維持されているものである。
【００４１】
図３（ａ）の状態から口部駆動部のモータ３６を作動させると、減速歯車群を介して回転が伝達され、第四平歯車４６の四角柱軸４８が回転する。これに伴って、四角柱軸４８には、閉じる方向への回転力となる弾性体２８となるねじりバネの復元力よりも強い、開く方向への回転力が発生し、下唇部１８は、四角柱軸４８を中心に口部１２を開くように回転するものである。また、下唇部１８が、所定の回転を行うと、図３（ｂ）の状態となる口部１２を開いた状態となるものである。
【００４２】
また、この図３（ｂ）の状態は、口部駆動部のモータ３６が作動している状態であり、口部１２を開く方向に回転が継続的に行われているものである。この図３（ｂ）に示す下唇部１８の回転位置で、口部駆動部のモータ３６の作動を停止させると、口部駆動部からの開く方向への回転力が失われ、弾性体２８となるねじりバネの復元力によって、下唇部１８は、閉じる方向へと回転を開始するものであり、図３（ａ）に示す状態に戻るものである。
【００４３】
つまり、口部作動制御部から、口部駆動部のモータ３６に対して、正回転を間欠的に繰り返す駆動信号を出力することによって、口部１２が閉じた状態となる図３（ａ）及び口部１２が開いた状態となる図３（ｂ）を繰り返すようになり、ライオンを模した装飾体玩具は、口部をパクパクと作動させるものである。
【００４４】
また、口部１２の下唇部１８が開いた状態から、閉じた状態に移行する時には、弾性体２８となるねじりバネの復元力によって閉じた状態へと移行が行われるものである。従って、遊戯者の指や手を緩く噛む力は、常に一定となる弾性体２８の復元力であり、安全な「甘噛み」を行わせることができるものである。
【００４５】
次に、装飾体玩具１０に内設され各制御部を備えた主基板と、各制御部に関係する各部の説明を、装飾体玩具１０の制御を示すブロック概念図となる図４を用いて行う。まず、各制御部に関係する各部の説明を行う。
【００４６】
作動スイッチ部５４として圧電素子を用いたピエゾスイッチ又は音を検出するコンデンサマイクが、装飾体玩具となる縫いぐるみのライオンの頭部の前方（鼻付近）にあたる位置に内設されており、遊戯者が装飾体玩具１０となるライオンの縫いぐるみを撫でたり触れたりすると、該作動スイッチ部５４が作動し、操作信号を、後述するスイッチ制御部５８に対して出力するものである。
【００４７】
また、作動スイッチ部５４としてピエゾスイッチを使用する場合には、遊戯者がライオンの縫いぐるみとなる装飾体玩具を撫でたり触れたりすると、圧電素子の電圧値が変化することによって作動するものである。そして、作動スイッチ部５４としてコンデンサマイクを使用する場合には、予め周囲の音には反応しないようにコンデンサマイクの感度を低くしておことによって、該コンデンサマイクの近傍でライオンの縫いぐるみとなる装飾体玩具を撫でたり触れたりする音によって作動するものである。また、作動スイッチ部５４として、この他に、タクトスイッチや、その他のスイッチを用いるようにしても構わない。
【００４８】
音検出部５２は、装飾体玩具となる縫いぐるみのライオンの頭部の前方（鼻付近）にあたる位置に、音を検出するマイクが内設されており、遊戯者からの声や周囲の音を検出するものである。音検出部５２となるマイクは、音を検出すると、後述する作動制御部５６に対して検出信号を出力するものである。尚、この音検出部５２は、省略することもある。
【００４９】
次に、主基板に備えられた各制御部の説明を行う。主基板に設けられた作動制御部５６は、音検出部５２からの検出信号に基づき、後述する口部作動制御部６０に対して作動信号を出力するものである。尚、この作動制御部５６は、音検出部５２が省略される時、省略されるものである。
【００５０】
また、スイッチ制御部５８は、作動スイッチ部５４からの操作信号に基づき、後述する口部作動制御部６０に対して作動信号を出力するものである。
【００５１】
そして、口部作動制御部６０は、作動制御部５６やスイッチ制御部５８からの作動信号に基づき、口部駆動部６６に対して駆動信号を出力するものである。したがって、口部作動制御部６０から口部駆動部６６に対して駆動信号を出力することにより、口部駆動部６６のモータ３６が回転し、その回転が減速歯車群に伝達され、下唇部１８を揺動動作させるものである。また口部駆動部６６に対して駆動信号を出力する時に、音声出力制御部６２に対して音声出力信号を出力することもある。
【００５２】
さらに、口部作動制御部６０は、口部駆動部６６に対して、所定の間隔で間欠的に、正回転の駆動信号を出力するものである。これは、装飾体玩具１０の口部１２の下唇部１８を開く時には、口部駆動部６６の回転力を用いて開き、装飾体玩具１０の口部１２の下唇部１８を閉じる時には、下唇部１８に係止されているねじりバネとなる弾性体２８の復元力によって、口部１２の下唇部１８を閉じるようにしているものである。また、所定の間隔で交互に正回転及び逆回転させる駆動信号を出力しても構わないものである。
【００５３】
主基板に設けられた音声記憶部６４には、ライオンの鳴き声を模した音声情報が予め複数記憶されている。また例えば、装飾体玩具１０をライオン以外の動物に模して形成する時には、その動物の鳴き声に関する音声情報を予め複数記憶しておくことが好ましい。また、音声記憶部６４を着脱可能な外部メモリとすることも可能である。例えば、ライオンの鳴き声を模した音声情報を記憶させた外部メモリから、他の動物の鳴き声を模した音声情報を記憶させた他の外部メモリに差し替えることもでき、装飾体玩具１０の趣向を高めることも可能である。
【００５４】
そして、音声出力制御部６２は、音声記憶部６４に記憶されている音声情報を読み出し、音声出力部６８となるスピーカに音声信号の出力するものである。この音声出力制御部６２は、口部作動制御部６０から音声出力信号に基づき、音声出力部６８に対して音声信号を出力するものである。
【００５５】
また、音声出力制御部６２は、作動スイッチ部５４や音検出部５２の作動の有無に関係せず、任意のタイミングで音声出力部６８に対して、音声信号を出力することもあるものである。
【００５６】
また、実施例では、作動制御部５６、スイッチ制御部５８、口部作動制御部６０及び音声出力制御部６２を主基板に夫々設けたが、これら各制御部を一つに纏めたワンチップＩＣとすることも可能である。
【００５７】
以上説明したように、動物を模した玩具であって口部を所定の力で閉じることにより、「甘噛み」模擬することを特徴とする装飾体玩具を提供することができるものである。また、好ましい実施例を挙げて本発明を説明したが、本発明はその実施例に限定されるものではなく、本発明の要旨の範囲内で種々に改変できる。
【図面の簡単な説明】
【００５８】
【図１】本発明の一実施例である装飾体玩具を示す斜視図である。
【図２】本発明の一実施例である装飾体玩具の口部、口部駆動部を示す分解斜視図である。
【図３】本発明の一実施例である装飾体玩具の作動概念図である。
【図４】本発明の一実施例である装飾体玩具のブロック図である。
【符号の説明】
【００５９】
１０  装飾体玩具
１２  口部
１４  上唇部
１６  係止凸部
１８  下唇部
２０  アーム
２２  係合凹部
２４  弾性体係止部
２６  歯牙装飾部
２８  弾性体
３０  箱体
３２  孔
３４  係合部
３６  モータ
３８  ピニオンギア
４０  第一平歯車
４２  第二平歯車
４４  第三平歯車
４６  第四平歯車
４８  四角柱軸
５２  音検出部
５４  作動スイッチ部
５６  作動制御部
５８  スイッチ制御部
６０  口部作動制御部
６２  音声出力制御部
６４  音声記憶部
６６  口部駆動部
６８  音声出力部
【図１】
2009011504.tif 000003
【図２】
2009011504.tif 000004
【図３】
2009011504.tif 000005
【図４】
2009011504.tif 000006